(57)【要約】【課題】  製造する側の立場に立って製造コストを安くし、かつ製造時間を短縮させることが出来る封筒付き広告用印刷物を提供すること。【解決手段】１枚の用紙に封筒と申込用紙と広告とを有する封筒付き広告用印刷物において，  当該封筒が、１枚の広告用印刷物の一方側を封筒の横幅の大きさになるように折って上部（４）及び下部（５）を接着剤で接着し、三方閉じた状態とし、他方側が開いていること，  当該封筒の封緘部（７）が封筒の表面になる部分（６）の所定の位置に設けられており，  封緘部（７）の封筒に接着する側の側辺部に切り取り線（１４）が設けられていること，当該申込用紙が封筒付き広告用印刷物の所定の箇所に印刷されていること，からなる。【選択図】  図１
2007022590.tif 000002
【特許請求の範囲】
【請求項１】
１枚の用紙に封筒と申込用紙と広告とを有する封筒付き広告用印刷物において，
当該封筒が、１枚の広告用印刷物の一方側を封筒の横幅の大きさになるように折って上部（４）及び下部（５）を接着剤で接着し、三方閉じた状態とし、他方側が開いていること，
当該封筒の封緘部（７）が封筒の表面になる部分（６）の所定の位置に設けられており，
封緘部（７）の封筒に接着する側の側辺部に切り取り線（１４）が設けられていること，
当該申込用紙が封筒付き広告用印刷物の所定の箇所に印刷されていること，
からなることを特徴とする封筒付き広告用印刷物。
【請求項２】
封筒付き広告用印刷物の縦の大きさが前記封筒の大きさよりも大きい場合には、封筒の一番上の部分に切り取り線（１６）が設けられ、当該切り取り線（１６）が封緘部（７）に設けられている切り取り線（１４）迄延びていることを特徴とする請求項１記載の封筒付き広告用印刷物。
【請求項３】
前記封緘部（７）と他方の面（１２）は切り取り線（１４）によって、一方の面（１１）と他方の面（１２）は折り目（１３）によって区画されていることを特徴とする請求項２記載の封筒付き広告用印刷物。
【発明の詳細な説明】
【技術分野】
【０００１】
本発明は、１枚の用紙に封筒と申込用紙と広告とを有する封筒付き広告用印刷物に関する。
【背景技術】
【０００２】
従来、広告用印刷物に葉書を設け、たとえば広告に記載されている商品の申込を当該葉書きにて行う、ということが行われていた。この葉書付き広告用印刷物については本出願人の実用新案登録第３０９６９１０号がある。
【０００３】
しかし、葉書きは封をしていないため人に見られる可能性があり、内容を人に見られたくない等、秘密性を有する場合には、葉書ではなく封筒に当該内容を入れて送付することになる。
【０００４】
このことに関し、広告用印刷物に封筒を設けた技術がある（例えば、特許文献１参照。）。
又、特許文献１は、内部に封筒を具有する折りたたみ式の印刷物が、折りたたみ密封された状態で配布され、配布された人は、これを切り離して展開される技術が示されている。
【特許文献１】特許第２９７２４１８号明細書（［０００８］，［０００９］）
【発明の開示】
【発明が解決しようとする課題】
【０００５】
しかし、特許文献１は内部の封筒を巻き込むようにして作成しなければならず、又封筒を開く際はミシン目線１５，１６より切り離し、さらに内部の封筒もミン目線１１，１２より切り離さなければならず、作成するうえでも、内部の封筒（返信用封筒）を使用する際にも手間がかかり、又、水糊で封緘するという煩わしさがあり、かつ封緘部に水糊を塗布する分、製造コストが高くつき、かつ製造時間もかかるという問題点があった。
【０００６】
従来の封筒が設けられている印刷物はそれを受取った側の利便性を考慮して考え出されたものであり、製造する側の立場に立って考え出されたものではなかった。
そこで、本発明は、製造する側の立場に立って製造コストを安くし、かつ製造時間を短縮させることが出来る封筒付き広告用印刷物を提供することを目的とする。
【課題を解決するための手段】
【０００７】
前記目的を達成するため、本発明の封筒付き広告用印刷物は、
１枚の用紙に封筒と申込用紙と広告とを有する封筒付き広告用印刷物において，
当該封筒が、１枚の広告用印刷物の一方側を封筒の横幅の大きさになるように折って上部及び下部を接着剤で接着し、三方閉じた状態とし、他方側が開いていること，
当該封筒の封緘部が封筒の表面になる部分の所定の位置に設けられており，
封緘部の封筒に接着する側の側辺部に切り取り線が設けられていること，
当該申込用紙が封筒付き広告用印刷物の所定の箇所に印刷されていることからなる。
【０００８】
又、封筒付き広告用印刷物の縦の大きさが前記封筒の大きさよりも大きい場合には、封筒の一番上の部分に切り取り線が設けられ、当該切り取り線が封緘部に設けられている切り取り線迄延びていることが好適である。
【０００９】
又、前記封緘部と他方の面は切り取り線によって、一方の面と他方の面は折り目によって区画されていることが好適である。
【発明の効果】
【００１０】
本発明は、封緘部に糊を塗布しないのでその分、製造コストを安くし、かつ製造時間を短縮させることが出来る。
【発明を実施するための最良の形態】
【００１１】
本発明の実施の形態の一例を図面にしたがって説明する。
【００１２】
図１は本発明の封筒付き広告用印刷物を展開した状態を示す図である。
封筒付き広告用印刷物の一方側を封筒の横幅の大きさになるように折る。即ち封筒の裏面になる部分１を折り目３を中心にして封筒の表面になる部分の裏面２に矢印方向に折り重ねる。封筒の裏面になる部分１及び封筒の表面になる部分の裏面２の上部４，下部５に接着剤が塗布されているので封筒の裏面になる部分１及び封筒の表面になる部分の裏面２が接着する。接着剤は封筒の裏面になる部分１と封筒の表面になる部分の裏面２が接着すれば良いので、どちらか一方の上部４，下部５に接着剤が塗布されていれば良い。これにより三方閉じた状態となり封筒の形となる。封筒の表面になる部分６は送信先等を記載する箇所であり、さらに、封緘部７が設けられている。
【００１３】
他方側の一方の面１１を他方の面１２に折り目１３を中心にして矢印方向に折り重ねるが、封緘部の裏面７’には粘着剤等なにも塗布されていないので封筒に物を入れた後、封緘部７に糊等を塗布して封をすることになる。
又、封緘部７の外側片、即ち封筒に接着する側の側辺部に切り取り線１４が設けられている。なお、図示していないが、一方の面１１及び他方の面１２の内側の周囲に剥離可能な接着剤等を塗布しても良い。この場合、一方の面１１の切り取り線１４と重なる部分に切り取り線を設けても良い。
【００１４】
封筒付き広告用印刷物の縦の大きさが封筒の大きさよりも大きい場合には、封筒の一番上の部分に切り取り線１６が設けられ、当該切り取り線１６が封緘部の切り取り線１４迄延びている。これにより規定の封筒の大きさにすることが出来る。
【００１５】
封筒付き広告用印刷物の縦の大きさが封筒の縦の大きさと同一の場合には切り取り線１４により封筒を切り取り、封筒付き広告用印刷物の縦の大きさが封筒の縦の大きさよりも大きい場合には切り取り線１４により切り取り、次に切り取り線１６により切り取ることにより、広告用印刷物より封筒が分離し、封筒として使用可能となる。
【００１６】
封筒付き広告用印刷物の他方側の一方の面１１及び他方の面１２には広告、申込用紙等が掲載されるが、さらにその他の面にも広告等の記載が可能である。封緘部７と他方の面１２とは切り取り線１４によって、一方の面１１と他方の面１２とは折り目１３によって区画されている。そこで、一方の面１１と他方の面１２が申込用紙になっている場合はこの切り取り線１４によって、申込用紙を切り離し封筒に入れれば良い。なお、図示していないが、一方の面１１が申込用紙になっている場合は一方の面１１と折り目１３の間、他方の面１２が申込用紙になっている場合は他方の面１２と折り目１３の間に切り取り線を設けるのが良い。封筒は一方側が開いており、粘着剤等がついていないので封筒に簡単に入れることが出来る。入れたあと、封緘部７に糊を塗布する等して、折り目１９を中心に封緘部７を折って封緘すれば良い。図示していないが、封緘部７の上と下の部分に斜めに切り取り線を設けても良い。
【００１７】
図２は本発明の封筒付き広告用印刷物１を折り畳もうとする状態を示す図であり、図３は本発明の封筒付き広告用印刷物１を折り畳んだ状態を示す図である。本発明の封筒付き広告用印刷物はこの図３の状態で一般に配布されるものである。
図４は図３の裏面図を示している図である。
【図面の簡単な説明】
【００１８】
【図１】封筒付き広告用印刷物を展開した示す図である。
【図２】封筒付き広告用印刷物を折り畳もうとする状態を示す図である。
【図３】封筒付き広告用印刷物を折り畳んだ状態を示す図である。
【図４】図３の裏面図を示す図である。
【符号の説明】
【００１９】
１  封筒の裏面になる部分
２  封筒の表面になる部分の裏面
３  折り目
４  上部
５  下部
６  封筒の表面になる部分
７  封緘部
７’封緘部の裏面
１１  一方の面
１２  他方の面
１３，１９  折り目
１４，１６，１７  切り取り線
【図１】
2007022590.tif 000003
【図２】
2007022590.tif 000004
【図３】
2007022590.tif 000005
【図４】
2007022590.tif 000006